(57)【要約】【課題】本発明は、撓みなどの変形を抑制することができる架台、及び排水システムの提供を目的とした。【解決手段】本発明の架台１０は、板状とされた基台部２０と、基台部２０の表裏をなす面のうち一方を積置面２０ａとした場合に、積置面２０ａと交差する方向であって基台部２０から離間する方向である高さ方向ｈ１に形成された保持部３０とを有し、保持部３０が、積置面２０ａに向けて凹状に形成された受部３２を少なくとも二つ備え、二つの受部３２が、保持部３０において対向するように配置されて対をなす支持部４０を構成するものであり、基台部２０には、受部３２の近傍に、基台部２０の他の部分よりも肉厚とされた肉厚部５０が設けられていることを特徴とする。【選択図】図１
2020051204.tif 000002
【特許請求の範囲】
【請求項１】
マス本体と、前記マス本体に対して汚水又は雨水を流出入可能であって筒状に形成された流出入部とを有し、前記流出入部が複数、前記マス本体の周部に設けられた排水マスを支持する架台であって、
板状とされた基台部と、
前記基台部の表裏をなす面のうち一方からなる配置面と、
前記配置面側に前記排水マスを保持するための保持部とを有し、
前記基台部のうち、前記保持部に前記排水マスを保持した状態において、前記流出入部が配置される位置の近傍の部分が、前記基台部の他の部分よりも肉厚とされた肉厚部とされていることを特徴とする架台。
【請求項２】
前記保持部が、前記流出入部を支持する支持部を有し、
前記支持部が、前記流出入部の外径にあわせて凹状に形成された受部を備えたものであり、
前記肉厚部が、前記受部の近傍に設けられていることを特徴とする請求項１に記載の架台。
【請求項３】
前記肉厚部が、前記受部の最も深い部分である最深部の近傍に設けられていることを特徴とする請求項２に記載の架台。
【請求項４】
前記流出入部の中途に段差が形成された前記排水マスを設置可能な架台であって、
前記受部に前記流出入部を配置した状態において前記段差が到来する位置に対して、前記流出入部の軸線方向に隣接する位置に凸部が設けられており、
前記凸部が、前記肉厚部の一部又は全部であることを特徴とする請求項１〜３のいずれかに記載の架台。
【請求項５】
前記保持部が、前記受部よりも前記高さ方向に延出された延出部を有し、
前記受部に前記流出入部を配置した状態において、前記排水マスにおいて前記流出入部よりも高さ方向に離れた位置にある部分の側方に前記延出部が到来するように形成されていることを特徴とする請求項１〜４のいずれかに記載の架台。
【請求項６】
前記排水マスが、前記流出入部よりも高さ方向に離れた位置に、前記流出入部の軸線方向に広がる平坦面を有するものであり、
前記保持部が、
前記受部よりも前記高さ方向に延出された延出部を有し、
前記延出部が、前記受部に前記流出入部を配置した状態において前記平坦面の側方に到来するように形成されていることを特徴とする請求項１〜５のいずれかに記載の架台。
【請求項７】
前記基台部が、前記保持部よりも外縁側において吊り下げ部材を取り付けるための複数の取付孔を有することを特徴とする請求項１〜６のいずれかに記載の架台。
【請求項８】
請求項１〜７のいずれかに記載の架台と、
排水マスとを有し、
前記排水マスが、
マス本体と、
前記マス本体に対して汚水又は雨水を流出入可能であって筒状に形成された流出入部とを有し、
前記流出入部が複数、前記マス本体の周部に設けられたものであり、
前記マス本体の周方向に対向して配置される一対の流出入部により前記マス本体を介して汚水又は雨水を流出入させる第一流路を形成可能なものであり、
前記支持部により前記流出入部を支持された状態で、前記保持部により前記排水マスが保持されることを特徴とする排水システム。
【請求項９】
前記基台部が、前記保持部に取り囲まれた領域に貫通孔として設けられた中央孔を備えるものであり、
前記排水マスが、
前記第一流路に対して交差する方向に汚水又は雨水を流出入可能なように開口する第二流出入部を備え、
前記マス本体を介する汚水又は雨水の流出入経路を、前記第一流路と、前記第二流出入部を介して汚水又は雨水を流出入可能とする第二流路とに切り替え可能な切替式の排水マスであり、
前記排水マスの周部に設けられた流出入部が、前記支持部に支持されるとともに、
前記第二流出部が前記中央孔に挿通されて、前記切替式の排水マスが前記架台に保持されることを特徴とする請求項８に記載の排水システム。
【請求項１０】
前記基台部の表裏をなす面のうち前記配置面とは反対側の面に、長尺状の補強部材が取り付けられており、
前記補強部材が、前記保持部により前記排水マスを保持した状態において、前記流出入部をなす筒体の軸線方向に対して交差する方向に延びるように配置されていることを特徴とする請求項８又は９に記載の排水システム。
【請求項１１】
建物の内部空間に吊り下げられて配設されることを特徴とする請求項８〜１０のいずれかに記載の排水システム。
【発明の詳細な説明】
【技術分野】
【０００１】
本発明は、排水マスを配設するための架台、及び架台を備える排水システムに関する。
【背景技術】
【０００２】
建物の敷地内に管路を配設する場合、建物の床に排水マスを吊り下げて建物の内部のピットに配設するいわゆる「吊り配管」が行われている。例えば、下記特許文献１には、吊り配管とされた管路が開示されている。
【先行技術文献】
【特許文献】
【０００３】
【特許文献１】特開２０１５−７８５９５号公報
【発明の概要】
【発明が解決しようとする課題】
【０００４】
従来では、吊り配管として排水マスを配設する場合には、先ず排水マスの水平位置がずれないように板材などの基台を床から吊り下げて、その後に排水マスを基台に据え付けることが行われていた。ここで、板材などの基台を床から吊り下げて排水マスを保持する場合に、板材などの基台が撓んで変形する問題があった。また、このような基台の撓みなどの変形を抑制するための対策が求められていた。
【０００５】
そこで本発明は、撓みなどの変形を抑制することができる架台、及び排水システムの提供を目的とした。
【課題を解決するための手段】
【０００６】
ここで、本発明の発明者が、排水マスを支持する架台について、基台となる基台部の撓みの要因について検討したところ、排水マスの流路が形成される直下部分に排水マスの荷重が集中して、基台部の撓みの要因の一つとなることが見いだされた。基台部の撓みを抑制するためには、基台部全体にさらに厚みを持たせることも考えられる。しかしながら、基台部全体の厚みを上げると、架台全体の重量が大きくならざるを得ない。そこで本発明の発明者がさらに検討したところ、基台部において排水マスの流路が形成される直下部分に、他の基台部よりも厚みのある部分を設けることで、基台部全体の厚みを上げることなく効率的に荷重が集中する中心線において基台部の強度を向上させ、基台部の撓みを抑制することができるとの知見が得られた。
【０００７】
上述の知見に基づき提供される本発明の架台は、マス本体と、前記マス本体に対して汚水又は雨水を流出入可能であって筒状に形成された流出入部とを有し、前記流出入部が複数、前記マス本体の周部に設けられた排水マスを支持する架台であって、板状とされた基台部と、前記基台部の表裏をなす面のうち一方からなる配置面と、前記配置面側に前記排水マスを保持するための保持部とを有し、前記基台部のうち、前記保持部に前記排水マスを保持した状態において、前記流出入部が配置される位置の近傍の部分が、前記基台部の他の部分よりも肉厚とされた肉厚部とされていることを特徴とするものである。
【０００８】
本発明の架台では、基台部のうち、保持部に排水マスを保持した状態において、流出入部が配置される位置の近傍の部分に肉厚部が設けられ、他の部分よりも肉厚とされている。そのため、本発明の架台によれば、排水マスの流路が形成される直下部分において撓みが生じるのを抑制しつつ、基台部全体の厚みや重量が増加するのを抑制できる。
【０００９】
上述した本発明の架台は、前記保持部が、前記流出入部を支持する支持部を有し、前記支持部が、前記流出入部の外径にあわせて凹状に形成された受部を備えたものであり、前記肉厚部が、前記受部の近傍に設けられているものであることが望ましい。
【００１０】
本発明の架台のように流出入部の外径に合わせて凹状に形成された受部を設けた場合には、流出入部を安定的に支持できる。そのため、本発明の架台においては、排水マスを設置することにより作用する荷重が、受部の近傍に集中するものと想定される。本発明の架台は、かかる想定のもと、受部の近傍に肉厚部を設けている。従って、本発明の架台によれば、排水マスを設置することによる基台部の撓みをより一層確実に抑制できる。
【００１１】
ここで、本発明の発明者が、肉厚部を設ける位置についてさらに検討した。その結果、上述したような受部を設ける場合には、受部の最も深い部分に荷重がかかるため、この近傍に肉厚部を設けることでより効率的に基台部の撓みが抑制することが期待できるとの知見が得られた。
【００１２】
上述の知見に基づき提供される本発明の架台は、前記肉厚部が、前記受部の最も深い部分である最深部の近傍に設けられていることを特徴とするものである。
【００１３】
本発明の架台によれば、基台部において荷重が集中する部分の強度を向上させ、基台部全体の厚みを上げることなくより効率的に基台部の撓みを抑制することが期待できる。
【００１４】
ここで、上述したように架台に肉厚部を設ける場合、排水マスと肉厚部との相対位置関係が定まることにより、排水マスを架台に対して安定感良く配置できるだけでなく、基台部の撓みをより一層効果的に抑制できるものと考えられる。かかる知見に基づけば、排水マスを架台に対して流出入部の軸線方向にも位置決めして保持可能であることが望ましい。かかる構成について、本発明の発明者らが検討した。ここで、排水マスは、流出入部に開口縁の近傍が拡径されて受口が構成されているものが多く提供されている。また、流出入部の外周面には、受口が形成されて拡径されている部分と拡径されていない部分との境界において、径方向に形成される段差とされた段差部が形成されている。本発明の発明者らは、排水マスの段差部に隣接する位置に、段差部が引っかかるようなものを架台に設ければ、流出入部の軸線方向への排水マスの位置決め精度を向上できるのではないかとの知見に至った。
【００１５】
かかる知見に基づけば、本発明の架台は、前記流出入部の中途に段差が形成された前記排水マスを設置可能な架台であって、前記受部に前記流出入部を配置した状態において前記段差が到来する位置に対して、前記流出入部の軸線方向に隣接する位置に凸部が設けられており、前記凸部が、前記肉厚部の一部又は全部であることが望ましい。
【００１６】
上述の構成によれば、段差部が形成されている排水マスを架台に保持させた際に、段差部が凸部に隣接する位置に到来した状態になる。このような状態になると、排水マスが流出入部の軸線方向に移動しようとしても、凸部に対して段差が引っかかり移動できない状態になる。従って、上述した構成によれば、排水マスを架台に対して水平方向（流出入部の軸線方向）に位置決めして保持することができる。従って、本発明の架台によれば、排水マスをより一層位置決め精度良く、安定感の高い状態で保持することができる。
【００１７】
ここで、本発明の発明者は、より効果的に基台部の撓みを抑制することについて検討した。その結果、受部に前記流出入部を配置した状態において、前記排水マスにおいて前記流出入部よりも高さ方向に離れた位置にある部分を側方から支えることができる延出部を設けることが有効であることを見いだした。具体的には、このような構成とした場合、排水マスを架台に保持させた状態において架台が撓むと、延出部が平坦部と接触して、排水マスの平坦部が保持部の変形を抑制するストッパーのような機能を発揮し、さらに基台部の撓みを抑制することができるとの知見に至った。
【００１８】
かかる知見に基づいて提供される本発明の架台は、前記保持部が、前記受部よりも前記高さ方向に延出された延出部を有し、前記受部に前記流出入部を配置した状態において、前記排水マスにおいて前記流出入部よりも高さ方向に離れた位置にある部分の側方に前記延出部が到来するように形成されているものである。
【００１９】
上述の構成によれば、排水マスの荷重により基台部が撓むように変形しようとしても、やがて排水マスにおいて前記流出入部よりも高さ方向に離れた位置にある部分に対し、延出部が接触した状態になり、基台部の変形が規制される。従って、本発明の架台によれば、基台部全体の厚みを上げることなくより効率的に基台部の撓みを抑制することができる。
【００２０】
ここで、本発明者らは、図７に例示するように、マス本体と流出入部との接続部分に平坦面とされた平坦部が形成されているものを準備し、このような排水マスを架台を用いて設置することを検討した。より具体的には、図７に例示した排水マスは、排水マスの外面において流入部から流出部に至る部分には、流出入部の下方の外周面が周面とされる一方、上方には平坦面とされた平坦部が形成されている。本発明の発明者が鋭意検討した結果、平坦部を側方から支えることができる延出部を本発明の架台に設けると、排水マスを架台に保持させた状態において架台が撓むと延出部が平坦部と接触して、排水マスの平坦部が保持部の変形を抑制するストッパーのような機能を発揮し、さらに基台部の撓みを抑制することができるとの知見に至った。
【００２１】
上述の知見に基づき提供される本発明の架台は、前記排水マスが、前記流出入部よりも高さ方向に離れた位置に、前記流出入部の軸線方向に広がる平坦面を有するものであり、前記保持部が、前記受部よりも前記高さ方向に延出された延出部を有し  前記延出部が、前記受部に前記流出入部を配置した状態において前記平坦面の側方に到来するように形成されていることを特徴とするものである。
【００２２】
上述の構成によれば、排水マスの荷重により基台部が撓むように変形しようとすると、やがて延出が平坦部と接触する。言い方を換えれば、架台は、保持部の延出部が排水マスの平坦部と接触して変形が規制される。このように、排水マスを架台に保持させた状態において架台が撓むと延出部が平坦部と接触して、排水マスの平坦部が保持部の変形を抑制するストッパーのような機能を発揮するため、本発明の架台は、基台部の撓みを抑制することができる。特に、基台部の中央に孔部が形成されている場合には、さらに基台部が撓みやすくなる。本発明の架台は、基台部の中央に孔部が形成されている場合でも、効果的に基台部の撓みを抑制することができる。
【００２３】
ここで、本発明の架台が樹脂素材等により成型されたものである場合には、基台部の変形を抑制するために基台部に形鋼などの補強部材が取り付けられることが望ましい。
【００２４】
本発明の架台は、前記基台部が、前記保持部よりも外縁側において吊り下げ部材を取り付けるための複数の取付孔を有するものであることが望ましい。
【００２５】
上述の構成によれば、アングル等を補強部材として基台部に取り付けて、より強固に基台部の撓みなどの変形を抑制することができる。
【００２６】
本発明の排水システムは、上述した本発明の架台と、排水マスとを有し、前記排水マスが、マス本体と、前記マス本体に対して汚水又は雨水を流出入可能であって筒状に形成された流出入部とを有し、前記流出入部が複数、前記マス本体の周部に設けられたものであり、前記マス本体の周方向に対向して配置される一対の流出入部により前記マス本体を介して汚水又は雨水を流出入させる第一流路を形成可能なものであり、前記支持部により前記流出入部を支持された状態で、前記保持部により前記排水マスが保持されることを特徴とするものである。
【００２７】
本発明の排水システムによれば、排水マスの流路が形成される直下部分において基台部に撓みが生じるのを抑制しつつ、排水マスを安定して保持することができる。
【００２８】
本発明の排水システムは、前記基台部が、前記保持部に取り囲まれた領域に貫通孔として設けられた中央孔を備えるものであり、前記排水マスが、前記第一流路に対して交差する方向に汚水又は雨水を流出入可能なように開口する第二流出入部を備え、前記マス本体を介する汚水又は雨水の流出入経路を、前記第一流路と、前記第二流出入部を介して汚水又は雨水を流出入可能とする第二流路とに切り替え可能な切替式の排水マスであり、前記排水マスの周部に設けられた流出入部が、前記支持部に支持されるとともに、前記第二流出部が前記中央孔に挿通されて、前記切替式の排水マスが前記架台に保持されるものであってもよい。
【００２９】
上述の構成によれば、切替式の排水マスを管路において安定して保持することができる。特に、切替式の排水マスを吊り配管とされた管路において保持する場合に、水平方向に形成される流路（第一流路）を形成するとともに、下方に向けて形成される流路（第二流路）を確保して切替式の排水マスを保持することができる。
【００３０】
上述した本発明の排水システムは、建物の内部空間に吊り下げられて配設されるものとして好適である。
【００３１】
本発明の排水システムのように、排水マスを吊り下げた状態で配設する場合は、基台部を下方から支持するものがなく、基台部に撓みが生じやすい。しかしながら、本発明の排水システムは、上述した本発明の架台を用いて排水マスを設置するものであるため、前述のような基台部の撓みに関する問題が生じにくく、排水マスを安定して保持することができる。
【発明の効果】
【００３２】
本発明によれば、撓みなどの変形を抑制することができる架台、及び排水システムを提供することができる。
【図面の簡単な説明】
【００３３】
【図１】本発明の実施形態に係る架台を示す斜視図である。
【図２】図１の架台を示す平面図である。
【図３】図１の架台の側面図である。（ａ）は図２におけるＡ１方向から視認した場合を示す図（左側面図）、（ｂ）は図２におけるＡ２方向から視認した場合を示す図（正面図）である。
【図４】図１の架台の支持対象とされた排水マスを示す断面図である。
【図５】図４の排水マスのマス本体及び切替部材を示す斜視図である。
【図６】図４の排水マスの排水流路の切り替えと切替部材の位置を示している。
【図７】図１の架台に図４の排水マスを据え付けた状態を示す斜視図である。
【図８】図１の架台に図４の排水マスを据え付けた状態を示している、（ａ）は正面図、（ｂ）は平面図である。
【図９】図１の架台と排水マスの配置を示す平面図である。（ａ）は第一支持部に排水マスを支持させた状態、（ｂ）は第二支持部に排水マスを支持させた状態を示している。
【図１０】図１の架台に図４の排水マスを据え付けた状態を示す断面図である。（ａ）は図８（ｂ）におけるＡ３−Ａ３’線断面図、（ｂ）は図８（ｂ）におけるＡ４−Ａ４’線断面図である。
【図１１】ボルト孔の長手方向の大きさ及びピッチが異なるアングルを示す参考図である。
【図１２】図１の架台の取付孔の配置を示す図である。
【図１３】図１の架台にアングルを取り付ける場合のボルト孔と取付孔の配置を示す概念図である。
【図１４】本発明の排水システムを示す模式図である。
【発明を実施するための形態】
【００３４】
以下、本発明の実施形態に係る架台１０、及び排水システム１００について図面を参照しつつ説明する。
【００３５】
架台１０は、図１に示す外観を有している。図７に示すとおり、架台１０は、後で詳述する排水マス６０を保持するためのものである。本実施形態では、架台１０は、図１４に示すように建物１の内部空間であるピット３に天井から吊り下げられて配設される管路４において、排水マス６０を支持するために用いられる場合を例に挙げて説明する。
【００３６】
図１に示すとおり、架台１０は、基台部２０、保持部３０、及び凸部５０（肉厚部）を有している。
【００３７】
なお、以下の説明において、基台部２０の表裏をなす面のうち、架台１０に排水マス６０を保持させた状態において上方に向く面を「配置面２０ａ」と記載し、他方の面を「下方面２０ｂ」と記載して説明する場合がある。
【００３８】
また、架台１０に排水マス６０を保持させた状態において、上下方向Ｈ（配置面２０ａと交差する方向）であって基台部２０から離間する方向（上方向）を「高さ方向ｈ１」と記載して説明する場合がある。さらに、上下方向Ｈにおいて、高さ方向ｈ１と向きが逆となる方向を「下方向ｈ２」と記載して説明する場合がある。
【００３９】
図１に示すとおり、架台１０は、保持部３０が基台部２０の配置面２０ａから高さ方向ｈ１に形成され、基台部２０及び保持部３０が一体的に形成されている。
【００４０】
本実施形態の架台１０は、樹脂素材を成型したものとされている。なお、本発明の架台は、樹脂素材により一体的に成型したもののほか、基台部と保持部とを別体として成型した後に基台部と保持部とを接続して構成したものであってもよい。また、架台１０は、樹脂素材により形成されるもののほか、木製材料や金属材料により形成されるものであってもよい。
【００４１】
基台部２０は、板状とされている。図２に示すとおり、基台部２０は、平面視において略矩形の外観を有している。基台部２０には、中央孔２４、複数の取付孔２６、係止部２８、及び勾配方向表示部５２が設けられている。
【００４２】
図２に示すとおり、中央孔２４は、基台部２０の略中央に形成された円形の貫通孔である。中央孔２４は、保持部３０に取り囲まれた領域に形成されている。中央孔２４には、後で詳述する排水マス６０の第二流出部６７が挿通される。
【００４３】
取付孔２６は、形鋼や吊り下げ部材等の支持部材を取り付けるための締結部材の挿通孔として設けられている。図１及び図２に示すとおり、取付孔２６は長孔とされている。
【００４４】
図２に示すとおり、架台１０には、四つの取付孔２６が設けられている。図１２に示すとおり、四つの取付孔２６は、基台部２０の外縁２１の四つの辺２２ａ，２２ｂ，２２ｃ，２２ｄが交差する四つの角部２３の近傍にそれぞれ設けられている。また、図１２に示すとおり、四つの取付孔２６は、基台部２０の辺２２の両側にそれぞれ設けられており、辺２２の両側に設けられた取付孔２６の長手方向に延びる中心軸線Ｅが相互に角度をなしている。より具体的には、取付孔２６は、中心軸線Ｅが基台部２０の中央から外縁２１に向けて放射状となるように設けられている。そのため、取付孔２６は、基台部２０の辺２２に対してそれぞれ約４５度の角度をなすように形成されている。
【００４５】
係止部２８は、Ｕ字ボルト等の部材を係止するために設けられている。本実施形態の係止部２８は、基台部２０に設けられた貫通孔とされている。係止部２８は、後述する受部３２の近傍に設けられており、一つの受部３２に対して二つの貫通孔が一対として設けられている。なお、本発明の架台の係止部は、本実施形態に限定されない。例えば、本発明の架台における係止部は、固定部材を係止可能なものであればいかなるものであってもよい。例えば、本発明の架台の係止部は、フック状の部材が設けられたものであってもよい。
【００４６】
保持部３０は、排水マス６０を保持するために設けられている。図１に示すとおり、保持部３０は、高さ方向ｈ１に向けて形成されている。また、図２に示すとおり、保持部３０は、平面視において略環状の形状とされている。
【００４７】
保持部３０は、下方向ｈ２に向けて凹状に形成された複数の受部３２と、受部３２よりも高さ方向ｈ１に延出するように形成された複数の延出部３４とを有している。
【００４８】
受部３２は、後述する排水マス６０の流出入部６３を下方から支持するために設けられている。より具体的には、受部３２は、流出入部６３の下方の外周面を取り囲むように支持可能とされている。図１に示すとおり、受部３２は、円弧状（本実施形態では半円状）に凹んだ切り欠き部分として形成されている。なお、以下の説明において、受部３２の最も深い部分（最も配置面２０ａに近い部分）を「最深部３３」と記載して説明する場合がある。
【００４９】
図１及び図２に示すとおり、保持部３０には、四つの受部３２が設けられている。より具体的には、保持部３０には、四つの受部３２として、第一受部３２ａ、第二受部３２ｂ、第三受部３２ｃ、及び第四受部３２ｄが設けられている。
【００５０】
二つの受部３２は、保持部３０の周方向において対向するように配置されて対をなし、支持部４０を構成している。言い方を換えれば、架台１０には、一対の受部３２により一つの支持部４０が構成されている。また、架台１０には、四つの受部３２により、二つの支持部４０として第一支持部４１及び第二支持部４２が形成されている。
【００５１】
より具体的には、図２に示すとおり、第一支持部４１は、第一受部３２ａ及び第二受部３２ｂにより構成されている。また、第二支持部４２は、第三受部３２ｃ及び第四受部３２ｄにより構成されている。
【００５２】
また、一対の受部３２が向かい合う方向である軸線方向Ｘ（仮想連結線Ｋが延びる方向）は、第一支持部４１の第一軸線方向ｘ１と、第二支持部４２の第二軸線方向ｘ２とが、配置面２０ａ上で交差する。言い方を換えれば、第一支持部４１と第二支持部４２とは、軸線方向Ｘが十字状に交差するように配置されている。
【００５３】
支持部４０は、一対の受部３２により後述する流出入部６３を支持して排水マス６０を支持する。また、排水マス６０を支持部４０に支持させた場合、受部３２の最深部３３に排水マス６０の荷重が集中することとなる。言い方を換えれば、一対の受部３２の最深部３３には、排水マス６０の荷重が集中する。
【００５４】
なお、以下の説明において、一対の受部３２の最深部３３を結ぶ仮想線を「仮想連結線Ｋ」と記載して説明する場合がある。また、仮想連結線Ｋを配置面２０ａに配置したと仮定した場合の仮想線を「中心線Ｃ」と記載する場合がある。また、第一支持部４１の中心線Ｃを「第一中心線ｃ１」と、第二支持部４２の中心線Ｃを「第二中心線ｃ２」と記載して説明する場合がある。
【００５５】
図３に示すとおり、第一支持部４１の受部３２の径方向の大きさＤ１と、第二支持部４２の受部３２の径方向の大きさＤ２とは、異なる大きさとされている（Ｄ１≠Ｄ２）。具体的には、第一支持部４１の受部３２の径方向の大きさＤ１は、第二支持部４２の受部３２の径方向の大きさＤ２よりも小さい（Ｄ１＜Ｄ２）。
【００５６】
さらに具体的に説明すると、図３（ａ）に示すとおり、第一支持部４１を構成する第一受部３２ａ及び第二受部３２ｂは、径方向の大きさ（第一軸線方向ｘ１と交差する方向において受部３２の最も大きい部分の大きさ）がＤ１とされている。また、図３（ｂ）に示すとおり、第二支持部４２を構成する第三受部３２ｃ及び第四受部３２ｄは、径方向の大きさ（第二軸線方向ｘ２と交差する方向において受部３２の最も大きい部分の大きさ）がＤ２とされている。言い方を換えれば、架台１０は、第一支持部４１と第二支持部４２とで、異なる径方向の大きさとされている。
【００５７】
支持部４０は、配置面２０ａから受部３２の最深部３３までの距離が、一対の受部３２において異なるように形成されている。これにより、支持部４０は、配置面２０ａに対して僅かに高さ方向ｈ１に傾斜するように構成されている。より具体的に説明すると、第一支持部４１は、第二受部３２ｂから第一受部３２ａに向けて僅かに下り勾配となるように構成されている。また、第二支持部４２は、第四受部３２ｄから第三受部３２ｃに向けて僅かに下り勾配となるように構成されている。このように、架台１０の支持部４０には、「勾配」が形成されている。
【００５８】
架台１０には、支持部４０の勾配の向きを示す勾配方向表示部５２が設けられている。図２に示すとおり、本実施形態の勾配方向表示部５２は、基台部２０の配置面２０ａにおいて向きを示す記号（矢印）として設けられている。また、架台１０には、第一支持部４１の勾配の向きを示す勾配方向表示部５２ａと、第二支持部４２の勾配の向きを示す勾配方向表示部５２ｂとが設けられている。
【００５９】
図１及び図２に示すとおり、延出部３４は、受部３２と受部３２との間にそれぞれ設けられている。本実施形態の架台１０では、保持部３０において四つの延出部３４が設けられている。延出部３４は、受部３２の両端よりも高さ方向ｈ１に向かって延伸するように形成されている。また、延出部３４の側面には、高さ方向ｈ１及び支持部４０の軸線方向Ｘに沿うような平坦面とされた壁面３６が形成されている。図１に示すとおり、一つの延出部３４には、二つの壁面３６が交差するように形成されている。より具体的には、図２に示すとおり、延出部３４には、第一軸線方向ｘ１に沿うように形成された壁面３６ａと、第二軸線方向ｘ２に沿うように形成された壁面３６ｂとが形成されている。本実施形態の架台１０では、四つの延出部３４のそれぞれに、壁面３６ａ及び壁面３６ｂが形成されている。
【００６０】
図１に示すとおり、凸部５０（肉厚部）は、受部３２の近傍から基台部２０の外縁２１に向かって凸状に形成されている。凸部５０は、基台部２０の他の部分よりも肉厚とされた部分として設けられている。凸部５０は、基台部２０の配置面２０ａに設けられている。また、凸部５０は高さ方向ｈ１の面が、受部３２の最深部３３の上方面と略面一となるように設けられている。図２に示すとおり、架台１０は、四つの凸部５０を備えている。
【００６１】
図２に示すとおり、凸部５０は、支持部４０の中心線Ｃ上に設けられている。より具体的には、四つの凸部５０のうち、二つの凸部５０は、第一支持部４１の第一中心線ｃ１上に設けられている。また、他の二つの凸部５０は、第二支持部４２の第二中心線ｃ２上に設けられている。言い方を換えれば、凸部５０（肉厚部）は、排水マス６０の流出入部６３を受部３２に嵌め込んで支持させた状態において、排水マス６０の荷重が集中する中心線Ｃ上に設けられている。
【００６２】
続いて、排水マス６０について説明する。本実施形態では、架台１０に保持させる排水マス６０を、流路の切り替えを行うことができる切替式の排水マスを一例に挙げて説明する。なお、本発明の架台は、切替式の排水マスを保持するものに限定されない。すなわち、本発明の架台は、マス本体の周方向において対向するように流入部及び流出部が形成される排水マスを、好適に保持することができる。
【００６３】
図４に示すとおり、排水マス６０は、マス本体６２、切替部材８０、点検筒９０、及び蓋体９２を有している。本実施形態の排水マス６０は、塩化ビニル、強化繊維プラスチックなどの樹脂素材を加工成形したものとされている。
【００６４】
排水マス６０は、排水流路Ｒを切り替えることができる排水マス６０（切替式の排水マス）である。排水マス６０は、排水流路Ｒを、直線状に形成される第一流路ｒ１と、屈曲して形成される第二流路ｒ２とに、切り替え可能とされている。排水マス６０は、マス本体６２に対する切替部材８０の相対位置が変位されることにより、排水流路Ｒを第一流路ｒ１から第二流路ｒ２へ、あるいは第二流路ｒ２から第一流路ｒ１へと切り替え可能とされている。
【００６５】
図４及び図５に示すとおり、マス本体６２は、上部及び下部に開口が形成され、複数の略筒状の部分が一体的に形成された部材である。また、マス本体６２の側部には、二つの開口が形成されている。さらに、図５に示すとおり、マス本体６２の内側には、段状部６８が形成されている。マス本体６２の上部に形成された開口は、点検口６９とされている。
【００６６】
図５に示すとおり、マス本体６２には、汚水又は雨水又は雨水又は雨水を流入させるための筒状の流入部６４及び汚水又は雨水又は雨水又は雨水を流出させるための流出部６５を含む流出入部６３が複数（本実施形態の排水マス６０では三つ）形成されている。より具体的に説明すると、マス本体６２には、汚水又は雨水又は雨水又は雨水を流入させる一つの流入部６４と、汚水又は雨水又は雨水又は雨水を流出させる第一流出部６６及び第二流出部６７の二つの流出部６５との、三つの流出入部６３が設けられている。
【００６７】
三つの流出入部６３のうち、流入部６４と第一流出部６６とは、マス本体６２の周方向に対向するように設けられている。排水マス６０は、マス本体６２の周方向に対向して配置される流入部６４及び第一流出部６６が対をなす一対の流出入部６３により、流入部６４から第一流出部６６に向けて直線状の経路とされた第一流路ｒ１を形成する（図６参照）。
【００６８】
また、第二流出部６７は、第一流路ｒ１と交差する方向であって下向きに開口するように設けられている。排水マス６０は、流入部６４から第二流出部６７に向けて屈曲した経路とされた第二流路ｒ２を形成可能とされている。
【００６９】
このように、排水マス６０は、三つの流出入部６３により、直線状の経路とされた第一流路ｒ１と、屈曲した経路とされて下方に向けて汚水又は雨水又は雨水又は雨水を排水する第二流路ｒ２とを形成可能とされている。
【００７０】
図５に示すとおり、排水マス６０には、流入部６４の開口の近傍に、第一流路ｒ１の向きを示す流路方向表示部７６が設けられている。
【００７１】
図４及び図５に示すとおり、排水マス６０の流出入部６３のうち、流入部６４及び第一流出部６６は、配管が挿入される受口とされている。より具体的に説明すると、流入部６４及び第一流出部６６の端部には、径方向に拡径された拡径部７０が形成されている。また、流入部６４及び第一流出部６６には、拡径部７０との境界部分の外面に、段差部７２が形成されている。
【００７２】
段差部７２は、流出入部６３の軸線方向において、マス本体６２側の拡径されていない部分と、開口の近傍が径方向に拡大された拡径部７０との境界部分において、流出入部６３の外周面に形成された段差状の部分である。
【００７３】
排水マス６０には、マス本体６２の周方向においた対向するように設けられた一対の流出入部６３のそれぞれに、段差部７２が形成されている。より具体的には、排水マス６０は、流入部６４には段差部７２ａが形成され、第一流出部６６には段差部７２ｂが形成されている。別の言い方をすれば、排水マス６０は、第一流路ｒ１が延びる方向の両側において、流出入部６３の端部が拡径された拡径部７０を備えるとともに、段差部７２が形成されている。
【００７４】
また、図５に示すとおり、マス本体６２の外面において、流入部６４から第一流出部６６に至る部分には、平坦面として形成された平坦部７４が形成されている。平坦部７４は、マス本体６２において略鉛直の姿勢となるような平坦面とされている。第一流路ｒ１を境界としてマス本体６２を径方向に二つに分断したと仮定した場合に一方を正面側、他方を背面側とすると、平坦部７４は、マス本体６２の正面側及び背面側の双方に形成されている。
【００７５】
図４及び図５に示すように、点検口６９は、地面に向かって開口している。点検口６９には、点検筒９０が接続されている。点検筒９０の上端は、地面と略同じ高さとなるように配置されている。作業者は、地上から点検筒９０を通じて、マス本体６２の内部に破損または詰まりなどがないかを点検することができる。なお、点検筒９０の上端には、蓋体９２が配置されている。蓋体９２は、取り外しが可能である。点検筒９０は、蓋体９２によって閉じられている。蓋体９２によって、排水マス６０内の汚水又は雨水又は雨水又は雨水から発生する悪臭が点検口６９を通じてピット３の内部から外部に漏れることを防止することができる。
【００７６】
切替部材８０は、汚水又は雨水又は雨水又は雨水の排水流路Ｒを第一流路ｒ１及び第二流路ｒ２に相互に切り替えるための部材である。具体的には、切替部材８０は、トイレなどの排水設備１３０から流出した汚水又は雨水又は雨水又は雨水を、第一流路ｒ１により下水本管（図示を省略）に排水させ、又は第二流路ｒ２により貯留槽１１０に排水させるように汚水又は雨水又は雨水又は雨水の排水流路Ｒを切り替えるために設けられている。
【００７７】
図５に示すとおり、切替部材８０は、マス本体６２の内部に収容されている。また、切替部材８０は、マス本体６２の下方に形成された第二流出部形成部６７ａに対して着脱可能とされている。切替部材８０が第二流出部形成部６７ａに嵌め込まれると、第二流出部６７は閉鎖される。切替部材８０が第二流出部形成部６７ａから取り外されると、第二流出部６７は開放される。
【００７８】
図５に示すように、切替部材８０は、本体部８２と、持ち手８３と、嵌合部８４と、越流抑止板８５とを備えている。
【００７９】
図５に示すとおり、本体部８２は、断面視において略Ｕ字状に形成されている。本体部８２の両側には、径方向外側に突出するように鍔状部８２ｂが形成されている。また、本体部８２は、流入部６４から第一流出部６６へと繋がる流路を形成する底面８２ａを備えている。
【００８０】
図５に示すとおり、持ち手８３は、一端側の鍔状部８２ｂから他端側の鍔状部８２ｂに至り、本体部８２を横断するように設けられている。嵌合部８４は、本体部８２の下方に設けられている。嵌合部８４は、第二流出部６７を閉塞すべく、第二流出部６７に嵌合可能な略円筒状の部分である。本実施形態では、嵌合部８４の外周部には、ゴム製のシール部材８４ａが設けられている。このシール部材８４ａによって、第二流出部６７と切替部材８０の嵌合部８４との間のシールが図られている。越流抑止板８５は、第二流路ｒ２を形成させる際に、第一流出部６６側へ汚水又は雨水又は雨水又は雨水が越流することを抑制するために設けられている。
【００８１】
排水マス６０は、第二流出部形成部６７ａに切替部材８０の嵌合部８４が嵌め込まれた状態では、第二流出部６７を閉鎖して、流入部６４から流入した汚水又は雨水又は雨水又は雨水を第一流出部６６から流出させる。具体的には、図６（ａ）に示すとおり、流入部６４及び第一流出部６６が連通するように第一流路ｒ１を形成させる場合には、切替部材８０は、鍔状部８２ｂがマス本体６２の段状部６８（図６では図示を省略）に支持されるような姿勢に維持される。これにより、切替部材８０は、底面８２ａと流入部６４及び第一流出部６６を接続するように配置され、断面視において略Ｕ字状の排水路を形成する。
【００８２】
排水マス６０は、第二流出部６７に切替部材８０の嵌合部８４が嵌め込まれた状態から、マス本体６２に対する切替部材８０の位置を変位させることで、汚水又は雨水又は雨水又は雨水の排出口を第一流出部６６から第二流出部６７に切り替えることができる。
【００８３】
具体的には、図６（ａ）に示す状態から、切替部材８０の持ち手８３を把手して上方に持ち上げ、切替部材８０を周方向に約９０度回転するように変位させると、切替部材８０は、マス本体６２の段状部６８（図６では図示を省略）の上方に本体部８２が支持された状態となる（図６（ｂ）参照）。図６（ｂ）に示すとおり、本体部８２がマス本体６２の段状部６８に支持された状態では、底面８２ａが上方に変位して、閉鎖されていた第二流出部６７が開放される。
【００８４】
第二流出部６７が開放された状態では、流入部６４からマス本体６２内に流入した汚水又は雨水又は雨水又は雨水は、第一流出部６６に到達する前に第二流出部６７に向けて落下し、第二流出部６７から流出する。これにより、排水マス６０は、第一流出部６６から汚水又は雨水又は雨水又は雨水を流出させる状態から、第二流出部６７から汚水又は雨水又は雨水又は雨水を流出させる状態へと切り替えることができる。また、排水マス６０は、上述とは逆の動作、すなわち嵌合部８４が第二流出部形成部６７ａから外された状態から、嵌合部８４が第二流出部形成部６７ａに嵌め込まれた状態とすることで、第二流出部６７から汚水又は雨水又は雨水又は雨水を流出させる状態から第一流出部６６から汚水又は雨水又は雨水又は雨水を流出させる状態へと切り替えることができる。
【００８５】
＜施工時の作業について＞
続いて、建物１の床２の下の区画された空間（ピット３）に配設された管路４（吊り配管）において、架台１０を用いて排水マス６０を配設する場合の作業について説明する。
【００８６】
建物１の床２の下方には、複数の区画された空間であるピット３がある。ピット３は、建物１の基礎５によって囲まれている。以下で説明する管路４は、床２に吊り下げられてピット３に配設されたいわゆる「吊り配管」の管路である。なお、本発明の架台は、以下に説明するとおり、吊り配管において排水マスを配設する場合に好適に用いることができるほか、排水マスを地中に埋設する場合にも好適に用いることができる。
【００８７】
管路４は、建物１の床２の下の区画された空間に配設されている。以下の説明において、建物１の床２の下に形成された区画された空間を、「ピット３」と記載して説明する。なお、ピット３には、建物１の内部であって地面よりも上方に形成されるもののほか、建物１の地下に形成されたものも含まれる。
【００８８】
排水マス６０は、架台１０に保持された状態で、架台１０が吊り下げバンド６等を介して床２に吊り下げられてピット３内に配設される。
【００８９】
図７及び図８に示すとおり、架台１０は、排水マス６０を、受部３２に流出入部６３を支持して、中央孔２４を介して第二流出部６７を下方に突出させるように排水マス６０を保持することができる。そのため、架台１０は、下方に向けて開口する第二流出部６７が形成される排水マス６０を、第二流出部６７を下方に取り出しつつ、安定して保持することができる（図８（ａ）参照）。
【００９０】
上述のとおり、架台１０には、管路径の異なる排水マス６０に対応するように、二つの支持部４０が設けられている。具体的には、架台１０には、排水マス６０の管路径が概ねＤ１である場合に対応する第一支持部４１と、排水マス６０の管路径が概ねＤ２である場合に対応する第二支持部４２とが設けられている。そのため、排水マス６０を管路４に配設しようとする場合において、排水マス６０の管路径がＤ１である場合、及び管路径がＤ２である場合の双方において、一つの架台１０を用いることができる。
【００９１】
より具体的には、図９（ａ）に示すとおり、排水マス６０の管路径がＤ１である場合には、排水マス６０の一対の流出入部６３を第一支持部４１に支持させるように、第一流路ｒ１が第一軸線方向ｘ１に沿うように排水マス６０を配置させる。言い方を換えれば、排水マス６０の管路径がＤ１である場合には、第一支持部４１を管路４が形成される方向に沿うように架台１０を配置させる。
【００９２】
図９（ｂ）に示すとおり、排水マス６０の管路径がＤ２である場合には、排水マス６０の一対の流出入部６３を第二支持部４２に支持させるように、第一流路ｒ１が第二軸線方向ｘ２に沿うように排水マス６０を配置させる。言い方を換えれば、排水マス６０の管路径がＤ２である場合には、第二支持部４２を管路４が形成される方向に沿うように架台１０を配置させる。
【００９３】
このように、架台１０は、管路径の異なる排水マス６０に兼用して用いることで汎用性を持たせることができる。その結果、架台１０は、排水マス６０の管路径に応じて複数種類の架台を提供する場合と比較して、製造コストを抑制し、管路径のサイズを取り違えて発注されて現場に納入されることを回避することができる。
【００９４】
図７に示すとおり、排水マス６０を架台１０に据え付けた状態では、排水マス６０は、両側の側方において一対の流出入部６３がそれぞれ受部３２に嵌め込まれて保持される。言い方を換えれば、排水マス６０は、両脇が受部３２により下方から支持される。また、受部３２は、流出入部６３の下方の外周面に沿うように円弧状に形成されている。そのため、架台１０は、排水マス６０を流出入部６３の下方の外周面と略一致させて支持し、排水マス６０を安定して保持することができる。
【００９５】
また、図１０（ａ）に示すとおり、排水マス６０を架台１０に据え付けた状態では、排水マス６０の段差部７２が凸部５０により軸線方向Ｘへの移動が規制され、排水マス６０が架台１０に対して位置決めされる。これにより、架台１０は、排水マス６０が軸線方向Ｘにずれることを抑制して、より安定して排水マス６０を保持することができる。
【００９６】
さらに、図１０（ｂ）に示すとおり、排水マス６０を架台１０に据え付けた状態では、排水マス６０は、流出入部６３の下方の外周面が受部３２に嵌め込まれるとともに、平坦部７４が延出部３４の壁面３６と向かい合うように配置される。そのため、架台１０に据え付けられた排水マス６０が回転するように傾斜した場合に、排水マス６０は平坦部７４が壁面３６と接触して傾斜が規制される。これにより、架台１０は、排水マス６０の平坦部７４を側方から支え、排水マス６０が傾斜することや倒れたりすることを抑制することができる。
【００９７】
このように、架台１０を用いて排水マス６０を管路４に配設する場合、支持枠としてアングル８を組み立てるなどの作業を要さず、床２にアンカーボルト等や吊り下げバンド６を介して簡単に架台１０を床２に取り付けることができる。また、架台１０は、排水マス６０を据え付けるだけの動作で、排水マス６０を容易に安定して保持することができる。その結果、架台１０は、架台１０に代えてアングル８により支持枠を組み立てて排水マス６０を支持しようとする場合と比較して、施工性を向上させることができる。
【００９８】
より詳細に説明すると、アングル８を支持枠として組み立てて排水マス６０の基台とする場合には、支持枠に対する排水マス６０の姿勢が不安定となるため、一人の作業者が支持枠に対する排水マス６０の姿勢を保持して、他の者が基台を床２に取り付ける作業を行う必要があった。これに対して、架台１０は、排水マス６０を据え付けるだけで架台１０に対する排水マス６０の位置や姿勢を安定して保持する。そのため、排水マス６０を基台に対する位置や姿勢を維持するための作業を要さず、施工性を向上させることができる。
【００９９】
また、図７に示すとおり、排水マス６０を架台１０に据え付けた上で、流出入部６３を上方側から押さえつけるためにＵ字ボルト７などの固定部材を取り付けることができる。Ｕ字ボルト７は、両端が係止部２８に取り付けられる。これにより、架台１０は、上方から下方に排水マス６０を維持して、より確実に排水マス６０を保持することができる。
【０１００】
また、排水マス６０を架台１０に保持させる際には、架台１０に設けられた勾配方向表示部５２の向き（矢印の示す向き）を指標として、これと排水マス６０の流路方向表示部７６の向きを一致させるように配置することができる。これにより、架台１０は、排水マス６０に形成される流路勾配の向きを取り違えて排水マス６０を取り付けてしまうことを抑制することができる。
【０１０１】
ここで、架台１０を樹脂素材により形成する場合など、基台部２０が変形する可能性がある場合には、架台１０は、排水マス６０の荷重によって基台部２０が撓むことを抑制するために、下方面２０ｂにアングル８などの形鋼等からなる長尺状の補強部材が取り付けられて補強されることが望ましい。架台１０の下方面２０ｂにアングル８などの支持部材を取り付ける場合は、アングル８等の補強部材が流入部６４及び流出部６６の軸線方向と交差（本実施形態では略直交）する姿勢としつつ、取付孔２６とアングル８のボルト孔８ａとの位置を合わせ、ボルト９などの締結部材を挿通させて接続される。
【０１０２】
図１１に一例として示すとおり、アングル８などの形鋼には、ボルト９などを取り付けるためのボルト孔８ａが所定のピッチＰ及び所定の長さＬで形成されている。しかしながら、アングル８などの形鋼に形成されているボルト孔８ａのピッチＰや長さＬなどは、様々な種類がある。ピッチがｐ１、長さがｌ１のアングル８や、ピッチがｐ２、長さがｌ２のアングル等がある。さらに、施工現場では、様々なピッチや長さを備えるアングルが用いられる。
【０１０３】
図１２に示すとおり、架台１０の下方面２０ｂに二本のアングル８を取り付けて補強して支持する場合、基台部２０の一端側に設けられた二つの取付孔２６に一本のアングル８の両端を取り付けて、他端側に設けられた二つの取付孔２６に一本のアングル８の両端を取り付けることとなる。図１２に示すとおり、架台１０の取付孔２６は、長手方向に延びる軸中心線Ｊが相互に角度をなすように形成されている。そのため、ピッチＰや長さＬが異なるアングル８に対応して取り付けることができる。
【０１０４】
具体的には、図１３に示すとおり、取付孔２６に対してアングル８を辺２２と略平行に移動させて（図１３における矢印Ｆの方向）ボルト孔８ａと取付孔２６との位置を調整することで、様々なピッチＰや長さＬのボルト孔８ａに対応してボルト９等の締結部材を取り付けることができる。また、架台１０には四つの取付孔２６が設けられているため、二本のアングル８を長手方向が第一軸線方向ｘ１と交差するように配置する場合（図１３の場合）に加え、二本のアングル８を長手方向が第二軸線方向ｘ２と交差するように配置する場合にも、様々な種類のアングル８に対応して取り付けることができる。
【０１０５】
このように、架台１０は、様々な種類のアングル８に柔軟に対応して取り付けることができる。これにより、架台１０は、排水マス６０の一対の流出入部６３の向きを第一軸線方向ｘ１及び第二軸線方向ｘ２の双方に対応して据え付けることができることに加え、管路４に排水マス６０を配設する際のアングル８の選定や取り違えによる手間を軽減して、施工性を向上させることができる。
【０１０６】
＜排水システムについて＞
続いて、ピット３に配設された管路４に含まれる排水システム１００について説明する。図１３に示すとおり、管路４は、吊り配管とされている。また、管路４には、排水システム１００、及び貯留槽１１０が設けられている。排水システム１００は、架台１０及び排水マス６０を備えている。また、管路４は、複数の排水マスや管材を備え、排水流路Ｒを形成している。
【０１０７】
図１３に示すとおり、排水マス６０は、上述した作業により、架台１０に支持された状態で床２に吊り下げられている。また、排水マス６０の各流出入部６３には、それぞれ管材１２０が接続されている。なお、第二流出部６７は、管材１２０を介して貯留槽１１０と接続されている。
【０１０８】
図１３に示すとおり、排水マス６０は、点検筒９０の上端が建物１の床２とほぼ同じ高さとなるように配置されている。なお、点検筒９０は、上端が床２から上方に突出していてもよい。点検筒９０は、蓋体９２により閉塞されている。蓋体９２は、床２の上方面と略同じ位置となるように配置されている。
【０１０９】
排水マス６０は、水平方向に向くように配置された流入部６４及び第一流出部６６が、それぞれ管材１２０と接続されている。また、排水マス６０は、下方に開口する第二流出部６７が管材１２０を介して貯留槽１１０と接続されている。言い方を換えれば、排水マス６０は、管材１２０や貯留槽１１０との接続により、下方に向けた変位が規制された状態で保持されている。
【０１１０】
ここで、蓋体９２が人に踏まれるなどすると、排水マス６０に荷重がかかり、排水マス６０には上下方向Ｈにせん断力が加えられるところ、排水マス６０は、床２に吊り下げられた架台１０に保持されている。そのため、架台１０は、排水マス６０に加えられた荷重を受け止めて、上下方向Ｈのせん断力を抑制することができる。その結果、架台１０は、吊り配管において配設された排水マス６０の上下方向Ｈのせん断力による破損を抑制することができる。
【０１１１】
また、上述のとおり、架台１０において排水マス６０の荷重が集中する中心線Ｃ上には、凸部５０が設けられている。言い方を換えれば、架台１０は、基台部２０において排水マス６０の排水流路Ｒが形成される直下部分に、他の基台部２０よりも厚みのある部分として凸部５０（肉厚部）が設けられている。そのため、架台１０は、排水マス６０の荷重が集中する中心線Ｃにおいて基台部２０の強度を向上させ、基台部２０の撓みを抑制することができる。
【０１１２】
さらに、上述のとおり、排水マス６０を架台１０に据え付けられた状態では、排水マス６０の平坦部７４と架台１０の壁面３６とが隣接して向かい合うように配置される。そのため、排水マス６０の荷重により基台部２０が撓むように変形しようとすると、やがて延出部３４の壁面３６が平坦部７４と接触する。言い方を換えれば、架台１０は、保持部３０の壁面３６が排水マスの平坦部７４と接触して変形が規制される。そのため、排水マス６０の平坦部７４が、保持部３０の変形を抑制するストッパーのような機能を発揮し、さらに基台部２０の撓みを抑制することができる。特に、本実施形態の架台１０のように、基台部２０の中央に中央孔２４が形成されている場合には、さらに基台部２０が撓みやすくなるところ、架台１０は効果的に基台部２０の撓みを抑制することができる。
【０１１３】
上述のとおり、排水マス６０は、排水流路Ｒの切り替えを行うことができる切替式の排水マスである。排水システム１００は、切替部材８０をマス本体６２に対する姿勢を変化させることで、水平方向に直線状に延びる第一流路ｒ１と、汚水又は雨水又は雨水又は雨水を貯留槽１１０に排水する第二流路ｒ２とを切り替えることができる。
【０１１４】
このように、排水システム１００は、ピット３に配設される管路４において好適に排水マス６０を保持しつつ、汚水又は雨水又は雨水又は雨水の排水流路Ｒを切り替えることができる。
【０１１５】
以上、本発明の架台及び排水システムの実施形態について説明したが、本発明の架台及び排水システムは上述の実施形態に限定されない。
【０１１６】
すなわち、上述の実施形態に係る架台１０における保持部３０は、平面視において略円形をなすような環状の形状を備えるものとした例を示したが、本発明の架台１０はこれに限定されない。例えば、本発明の架台における保持部は、平面視において略矩形、あるいはＬ字状としてもよい。さらに、本発明の架台における保持部は、受部及び延出部が、それぞれ分離したものとしてもよい。
【０１１７】
また、上述の実施形態の説明において、架台１０を切替式の排水マス６０を保持するものとして説明したが、架台１０の支持対象とする排水マスは上述の実施形態に限定されない。例えば、架台１０は、下方に開口する第二流出部６７を備えないものであって、一対の流出入部６３を備える排水マス（いわゆる「ストレートタイプ」）を保持するものとして用いられるものであってもよい。
【産業上の利用可能性】
【０１１８】
本発明の架台、及び排水マスは、排水マスを配設する際に好適に用いることができる。
【符号の説明】
【０１１９】
１      建物
３      ピット（内部空間）
１０    架台
２０    基台部
２０ａ  配置面
２２    辺
２４    中央孔
２６    取付孔
３０    保持部
３２    受部
３２ａ  第一受部
３２ｂ  第二受部
３２ｃ  第三受部
３２ｄ  第四受部
３３    最深部
３４    延出部
３６    壁面
３６ａ  壁面
３６ｂ  壁面
４０    支持部
４１    第一支持部
４２    第二支持部
５０    凸部
６０    排水マス
６２    マス本体
６３    流出入部
６４    流入部（流出入部）
６５    流出部（流出入部）
６６    第一流出部（流出入部、流出部）
６７    第二流出部（流出入部、流出部）
１００  排水システム
Ｅ      中心軸線
Ｃ      中心線
ｃ１    第一中心線
ｃ２    第二中心線
ｈ１    高さ方向
Ｒ      排水流路
ｒ１    第一流路
ｒ２    第二流路
Ｘ      軸線方向
ｘ１    第一軸線方向（軸線方向）
ｘ２    第二軸線方向（軸線方向）
【図１】
2020051204.tif 000003
【図２】
2020051204.tif 000004
【図３】
2020051204.tif 000005
【図４】
2020051204.tif 000006
【図５】
2020051204.tif 000007
【図６】
2020051204.tif 000008
【図７】
2020051204.tif 000009
【図８】
2020051204.tif 000010
【図９】
2020051204.tif 000011
【図１０】
2020051204.tif 000012
【図１１】
2020051204.tif 000013
【図１２】
2020051204.tif 000014
【図１３】
2020051204.tif 000015
【図１４】
2020051204.tif 000016